(57)【要約】【課題】  撥水の悪いさまざまな形態の傘の除水を効率的に行い、かつ安全・簡単に使用することができる傘除水機を得ることを目的とする。【解決手段】  先端側が先細りで、すぼめた傘１の襞を収容できる複数の襞を有する傘状に形成され、脱水孔３ａを有する傘固定ガイド３と、傘固定ガイド３が内部に取り付けられ、回転自在な傘脱水槽５と、傘脱水槽５に設けられ、傘脱水槽回転時のアンバランスを抑制するバランサ４と、傘脱水槽５を回転駆動する駆動装置８と、傘脱水槽５と駆動装置８とを収容し、上部が開口した傘除水機本体１３と、傘除水機本体の上部開口を閉止自在とする蓋１０とを備えてなるものである。【選択図】        図１
2006308130.tif 000002
【特許請求の範囲】
【請求項１】
先端側が先細りで、すぼめた傘の襞を収容できる複数の襞を有する傘状に形成され、脱水孔を有する傘固定ガイドと、
該傘固定ガイドが内部に取り付けられ、回転自在な傘脱水槽と、
該傘脱水槽に設けられ、傘脱水槽回転時のアンバランスを抑制するバランサと、
前記傘脱水槽を回転駆動する駆動装置と、
前記傘脱水槽と前記駆動装置とを収容し、上部が開口した傘除水機本体と、
該傘除水機本体の上部開口を閉止自在とする蓋と、
を備えたことを特徴とする傘除水機。
【請求項２】
前記傘固定ガイドの襞に、複数の脱水孔が分布して設けられていることを特徴とする請求項１記載の傘除水機。
【請求項３】
前記傘除水機本体内に設置され、前記傘脱水槽を回転自在に収容する内郭と、
前記傘除水機本体と前記内郭との間に張設され、該外郭を吊り下げるように支持する防振装置と、
を備えたことを特徴とする請求項１又は２記載の傘除水機。
【請求項４】
前記蓋の閉止状態をロックするロック機構を備えたことを特徴とする請求項１〜３のいずれかに記載の傘除水機。
【請求項５】
前記傘除水機本体又前記内郭に設けられ、傘脱水槽の回転時におけるアンバランスを検知するアンバランス検知センサと、
該アンバランス検知センサの検知信号を受けて前記駆動装置の駆動を停止させる回転停止装置と、
を備えたことを特徴とする請求項１〜４のいずれかに記載の傘除水機。
【請求項６】
前記傘脱水槽が前記傘除水機本体内に地面に対して０°〜９０°までの傾斜角度で設置されていることを特徴とする請求項１〜５のいずれかに記載の傘除水機。
【発明の詳細な説明】
【技術分野】
【０００１】
本発明は、傘に付着した水滴や雪を高速回転による遠心力を用いることにより短時間に除去する傘除水機に関するものである。
【背景技術】
【０００２】
雨水や雪等で濡れた傘の脱水するものとしては、傘を脱水槽に入れ遠心力を用いて短時間で除水処理する傘脱水機（例えば、特許文献１参照）が開発されており、傘を回転する固定金具を有する脱水槽に入れて更にヒータの熱によって乾燥を速める傘脱水機（例えば、特許文献２参照）や、傘を回転する脱水槽に入れて更に温風によって乾燥を速める傘脱水機がある（例えば、特許文献３参照）。
【特許文献１】特開平０７−１５５６４５号公報（第１頁、第１図）
【特許文献２】特開平１１−２５７８５４号公報（第１頁、第１図）
【特許文献３】特開平０６−１０９３６２号公報（第１頁、第１図）
【発明の開示】
【発明が解決しようとする課題】
【０００３】
特許文献１〜３に記載された従来の回転による遠心力を利用した傘脱水機では、そのほとんどが傘を回転させることができる脱水槽に入れ傘自体を回転させることによって脱水する方式をとっているが、洗濯物と異なり柄・骨・石突きなどがあり、傘を高速回転させる場合、安全かつ傘の破壊を防ぐ必要がある。
特許文献２に記載の傘脱水機は傘の柄の部分を固定する固定金具を有する脱水槽を備えており、傘を安全に高速回転させることができるが、固定金具に傘を固定するのに使用者に負担をかけ傘除水機を使用してもらえないという問題があった。
【０００４】
また、傘には多様な種類があり、形状・長さ・材質の異なる傘の柄・石突きの部分を確実に固定させる有効な手段を用いたものはなく、傘自体が非対称な形状のものもあるため、傘を回転させる場合は回転振動を抑制する手段を備えたものはない。
特に、撥水性の悪い傘の場合、傘布への水滴の付着力が強いため水滴を除去するには、付着力に打ち勝つだけの回転力を与える必要があるため、傘の固定については確実かつ安全性が要求される。
このため、傘脱水機自体にセンサーなどを装備し、自動で傘の種類・長さを認識させ、傘を傘脱水機に自動で固定させる方法も考えられるが、その傘を自動的に固定する装置には高度な技術が必要になり、傘脱水機自体が高価なものとなり、量産を踏まえた製品としては実現性に乏しいものである。
【０００５】
本発明は係る問題点を解決するためになされたもので、撥水の悪いさまざまな形態の傘の除水を効率的に行い、かつ安全・簡単に使用することができる傘除水機を得ることを目的とする。
【課題を解決するための手段】
【０００６】
本発明に係る傘除水機は、先端側が先細りで、すぼめた傘の襞を収容できる複数の襞を有する傘状に形成され、脱水孔を有する傘固定ガイドと、該傘固定ガイドが内部に取り付けられ、回転自在な傘脱水槽と、該傘脱水槽に設けられ、傘脱水槽回転時のアンバランスを抑制するバランサと、前記傘脱水槽を回転駆動する駆動装置と、前記傘脱水槽と前記駆動装置とを収容し、上部が開口した傘除水機本体と、該傘除水機本体の上部開口を閉止自在とする蓋とを備えて構成されている。
【発明の効果】
【０００７】
本発明は以上説明したとおり、回転する傘脱水槽の内部に先端側が先細りで、すぼめた傘の襞を収容できる複数の襞を有する傘状に形成され、脱水孔を有する傘固定ガイドが取り付けられているので、すぼめた傘を傘脱水槽に入れた場合に、傘の襞は傘固定ガイドの襞に収容されて固定されることとなり、傘脱水槽を高速回転させて脱水効率を上げることができ、また使用者が傘脱水槽の一部に傘を確実に固定するという手間が省けるという効果がある。
さらに、傘脱水槽には傘脱水槽回転時のアンバランスを抑制するバランサを設けているので、傘脱水槽の回転中心と傘の中心が正確に一致しない、かつ傘自体が非対称形状のために傘脱水槽が回転する場合にアンバランスが生じ、大きな振動が発生するが、これらの原因による回転時のアンバランスをバランサによって抑制することができ、さまざまな形式の傘の除水を高速かつ安全に脱水することができるという効果がある。
また、傘除水機本体の上部開口は蓋で閉止することができるので、傘脱水槽が高速回転する脱水時に傘が飛び出すような場合に閉止した蓋で傘の飛び出しを防止するため、使用者にとって安全であるという効果がある。
【発明を実施するための最良の形態】
【０００８】
実施の形態１．
図１は本発明の実施の形態１に係る傘除水機の縦断面図、図２は同傘除水機の横断面図、図３は同傘除水機の傘固定ガイドの構成を示す斜視図、図４は同傘除水機のバランサの構成を示す斜視図、図５は同傘除水機の傘脱水槽に傘固定ガイドが装着された状態を示する斜視図、図６は同傘除水機の電気系統の構成を示す回路図である。
図１〜図６において、本発明の実施の形態１に係る傘除水機は、事務所や店舗等のロビーや玄関先に設置して、傘脱水槽に傘を投入し、その場で濡れた傘を除水処理するようにしたものである。
【０００９】
この傘除水機は、図１に示すように、上部が開口した四角い箱状の傘除水機本体１と、傘除水機本体１内に吊り下げられた円筒状の内郭６と、内郭６内に回転自在に配設された円筒状の傘脱水槽５と、傘脱水槽５内に上端部が取り付けられた多数の脱水孔３ａを有する傘固定ガイド３と、傘除水機本体１の底部内に設けられ、傘脱水槽５を回転駆動させる駆動装置８と、傘除水機本体１と内郭６とを連結し、傘脱水槽５の振動を吸収するための防振装置９と、傘除水機本体１の底部内に設けられ、傘脱水槽５からの脱水によって生じる水分を貯めて置けられるドレインタンク１２とを有して大略構成されている。
【００１０】
傘固定ガイド３は、すぼめた状態の傘１を略垂直方向に石突き２を下にして挿抜させることができるように先端側が先細りで複数の襞を有する傘状に形成されている。
また、傘脱水槽５は、その上端部に回転によるアンバランスを防ぐことのできるバランサ４を備えている。そのバランサ４は、図３に示すようにリング状をしており、その内部には流体が封入され、回転による傘脱水槽５自体のアンバランスを自動的に調整できるオートバランサとなっている。なお、内部に封入する物は流体だけでなく、よく転がる金属ボールを用いても良い。
さらに、傘脱水槽５は、その底部に脱水処理によって生じた水分を排出できる排出口１５が空けられている。その排出口１５はドレインタンク１２と接続されている。
傘固定ガイド３や傘脱水槽５は回転力に耐えられ、かつ防錆、カビなどを防ぐことができるステンレスで構成されているが、抗菌加工等が施された十分強度のあるプラスチック等によって構成するようにしてもよい。
【００１１】
さらに、内郭６の上端内側には、傘脱水槽５の回転時のアンバランスが大きくなりすぎた場合に、それを検知し、傘脱水槽５の回転を停止させられる回転停止装置の一部を構成するリミットスイッチであるアンバランス検知センサ７が設けられている。このアンバランス検知センサ７は、常時はオンしているが、傘脱水槽５の回転半径がある一定以上になった場合にオフとなるものである。このアンバランス検知センサ７を傘脱水槽５の上端外側に設けるようにしてもよい。このアンバランス検知センサ７はリミットスイッチとしているが、非接触の赤外線などを利用した方式や磁気などを利用した方式でも構わない。
また、駆動装置８は、モータ８ａと、モータ８ａの回転を減速する減速装置８ｂと、減速装置８ｂに接続され、傘脱水槽５の底部中央に取り付けられた回転駆動軸８ｃとで構成されている。
さらに、防振装置９は、スプリング９ａとダンパー９ｂとを有して構成され、傘脱水槽５の回転によって生じる振動を外郭である傘除水機本体１に伝えるのを防ぐ役割を果たすものである。
【００１２】
傘除水機本体１の上部に回転中に使用者に危険が及ばないようにするための蓋１０が開閉自在に取り付けられている。さらに、傘除水機本体１の上部には、その蓋１０が使用中に開かないようにするための安全装置１１が設けられている。
その安全装置１１は蓋１０の開閉を検知するリードスイッチである蓋閉止確認スイッチ２１と、蓋閉止確認スイッチ２１のオン信号に基づいて動作するプランジャ（図示省略）と、プランジャーの駆動により蓋１０を閉止状態にロックするロック機構２２と、ロック機構２２のロックを解除する押釦のロック解除スイッチ２３とで構成されている。
蓋閉止確認スイッチ２１はリードスイッチとしているが、非接触の赤外線などを利用した方式や磁気などを利用した方式でも構わない。
【００１３】
次に、図６の傘除水機の電気系統の構成を示す回路図について説明する。
商用電源Ｅに対して常閉のロック解除スイッチ２３と、常開の蓋閉止確認スイッチ２１と、プランジャーの電磁コイル２４と、常閉の回転停止スイッチ７と、駆動装置８とが直列に接続されて傘除水機の電気系統が構成されている。
【００１４】
上記実施の形態１の傘脱水槽５を回転駆動する駆動装置８は、モータ８ａと、減速装置８ｂと、回転駆動軸８ｃとで構成されているが、減速装置８ｂをなくしてダイレクトに駆動させる方式であっても良い。
更に、短時間除水を可能にするために、駆動装置８に所定時間内の除水が終了すれば直ちに停止できるようにブレーキを備えるようにしてよい。このブレーキは自動車のブレーキのようにディスクブレーキでも、駆動装置が電磁式の場合は回生ブレーキでもかまわない。
【００１５】
次に、本発明の実施の形態１に係る傘除水機の動作について説明する。
まず、傘除水機本体１の蓋１０が開いている状態の場合には、ロック解除スイッチ２３は閉じてオンしており、蓋閉止スイッチ２１は開いてオフしており、アンバランス検知センサ７はオン状態にある。従って、駆動装置８に商用電源Ｅが通電されない状態にある。
そこで、雨水や雪で濡れた傘１をすぼめて石突き２側から傘脱水槽５内に入れ、傘固定ガイド３に収納固定させて、蓋１０を使用者が閉じると、蓋閉止スイッチ２１は閉じてオンするため、直列に接続されたすべてのスイッチとアンバランス検知センサ７がオン状態となり、駆動装置８に商用電源Ｅが通電され、駆動装置８が駆動されるため、傘脱水槽５は回転を始める。
【００１６】
また、このとき、プランジャーの電磁コイル２４にも通電されるため、プランジャーの駆動によりロック機構２２が動作して蓋１０を閉止状態にロックする。従って、傘脱水槽５が回転中は蓋１０が開くことはない。更に、ロック機構２２が故障して蓋１０が開いた場合には、蓋閉止確認スイッチ２１がオンからオフになり、駆動装置８に商用電源Ｅが通電されない状態となって駆動装置８が停止させられるため、使用者が安心して傘除水機を使用できるようになっている。
【００１７】
傘固定ガイド３に入れられた傘１は、傘固定ガイド３の襞により傘１の襞がある程度分割されて傘脱水槽５内に固定される。
従って、使用者が傘脱水槽５の一部に傘１を確実に固定する手間が省ける。
更に、傘脱水槽５が回転することによって傘脱水槽５内の傘固定ガイド３内に固定された傘１には回転の運動エネルギーが与えられることになり、この回転による運動エネルギーにより傘１の表面に付着した水滴や雪を除去することができる。
さらに、高速回転によって挿入時に傘１の襞同士が重なっている部分に関してもその付着力に打ち勝つだけのエネルギーが与えられることにより、傘表面から引き剥がされることにより効率が良い除水が可能となる。
また、傘脱水槽５の回転により、傘１から脱水処理された水分は傘固定ガイド３の複数の脱水孔３ａを通り、傘脱水槽５の底部の排出口１５を経て傘除水機本体１３の底部に設けられたドレインタンク１２に効率良く回収される。
【００１８】
これらの高速回転する傘脱水槽５は、傘１自体の非対称な形状や挿入時の傘の中心軸と傘脱水槽５の回転中心の不一致等により、どんなに傘脱水槽５の回転バランスを事前に調整してもアンバランスが生じる。
そのアンバランスによって傘脱水槽５を高速回転させることが困難になるが、傘脱水槽５の回転によるアンバランスを防ぐことのできるバランサ４を傘脱水槽５が備えているので、バランサ４がアンバランスを抑制するため、傘脱水槽５を高速回転させることができる。従って、様々な形式の傘１の除水を高速且つ安全に行うことができる。
また、傘脱水槽５が回転することにより、傘脱水槽５に生じた振動は、傘除水機本体１３と内郭６との間に設けられた防振装置８により吸収するため、振動・騒音が小さい傘除水機を提供することができる。
【００１９】
また、バランサ４の能力を超える場合が生じたときは、アンバランス検知センサ７が傘脱水槽５の振れを検知してオン状態からオフ状態となるため、駆動装置８に商用電源Ｅが通電されない状態となり、駆動装置８が駆動停止となって傘脱水槽５の回転が停止させられ、内部の傘１と傘脱水槽５の破壊を防ぐことができる。
さらに、傘脱水槽５が回転して所定時間が経過し、傘１からの水分の脱水処理が終了したと使用者が判断した場合に、ロック解除スイッチ２３を操作してオンからオフにすると、駆動装置８及びプランジャーの電磁コイル２４に商用電源Ｅが通電されない状態となり、駆動装置８が駆動停止となって傘脱水槽５の回転が停止させられると共にプランジャーが元の位置に復帰するよう動作してロック機構２２の蓋１０に対するロックが解除され、蓋１０を開くことができ、傘脱水槽５から水分が除水された傘１を取り出すことができる。
【００２０】
上記実施の形態１の安全装置１１の一部を構成するロック機構２２は、蓋閉止確認スイッチ２２のスイッチ動作に基づいて動作するものであるが、手動操作によって動作するものでもよい。
【００２１】
実施の形態２．
図７は本発明の実施の形態２に係る傘除水機の縦断面図である。
この実施の形態２において、実施の形態１と同様の構成は同一符号を付して重複した構成の説明を省略する。
この実施の形態２は傘脱水槽５の角度を変更したものであり、実施の形態１が傘除水機本体１３内に傘脱水槽５が地面に対して９０°の傾斜角度で設けられているのに対し、実施の形態２では傘除水機本体１３内に傘脱水槽５が地面に対して例えば４５°の傾斜角度で設けられているものである。
この実施の形態２のように、傘除水機本体１３内に傘脱水槽５を傾斜して設けることにより、傘１を傘脱水槽５に対してより挿抜しやすくなるものである。
このように、傘除水機本体１３内に傘脱水槽５を傾斜して設けると、設置場所に対する本傘除水機の占有面積は実施の形態１に比べ大きくなるが、前述の如く、傘１の挿抜性を高めることによって、本傘除水機を使用できる対象者が増えるなどの利点がある。
【００２２】
実施の形態３．
図８は本発明の実施の形態３に係る傘除水機の縦断面図である。
この実施の形態３も、実施の形態１と同様の構成は同一符号を付して重複した構成の説明を省略する。
この実施の形態３も傘脱水槽５の角度を変更したものであり、実施の形態１が傘除水機本体１３内に傘脱水槽５が地面に対して９０°の傾斜角度で設けられているのに対し、実施の形態３では傘除水機本体１３内に傘脱水槽５が地面に対して０°の傾斜角度、即ち水平となるように設けられているものである。
この実施の形態３のように、傘除水機本体１３内に傘脱水槽５を地面に対して水平に設けることにより、傘１を傘脱水槽５に対してより挿抜しやすくなるものである。
このように、傘除水機本体１３内に傘脱水槽５を水平に設けると、設置場所に対する本傘除水機の占有面積は実施の形態１に比べ大きくなるが、前述の如く、傘１の挿抜性を高めることによって、本傘除水機を使用できる対象者が増えるなどの利点がある。
【００２３】
上記実施の形態２では傘脱水槽５の傾斜角度４５°、実施の形態３では傘脱水槽５の傾斜角度０°としているが、傘脱水槽５の傾斜角度を０°〜９０°までの任意の角度を取ることができることは勿論である。
【図面の簡単な説明】
【００２４】
【図１】本発明の実施の形態１に係る傘除水機の縦断面図。
【図２】同傘除水機の横断面図。
【図３】同傘除水機の傘固定ガイドの構成を示す斜視図。
【図４】同傘除水機のバランサの構成を示す斜視図。
【図５】同傘除水機の傘脱水槽に傘固定ガイドが装着された状態を示する斜視図。
【図６】同傘除水機の電気系統の構成を示す回路図。
【図７】本発明の実施の形態２に係る傘除水機の縦断面図。
【図８】本発明の実施の形態３に係る傘除水機の縦断面図。
【符号の説明】
【００２５】
１  傘、２  石突き、３  傘固定ガイド、４  バランサ、５  傘脱水槽、６  内郭、７  アンバランス検知センサ、８  駆動装置、９  防振装置、１０  蓋、１１  安全装置、１２  ドレンタンク、１３  傘除水機本体、１５  排出口、２１  蓋閉止確認スイッチ、２２  ロック機構。
【図１】
2006308130.tif 000003
【図２】
2006308130.tif 000004
【図３】
2006308130.tif 000005
【図４】
2006308130.tif 000006
【図５】
2006308130.tif 000007
【図６】
2006308130.tif 000008
【図７】
2006308130.tif 000009
【図８】
2006308130.tif 000010